(57)【要約】      （修正有）【課題】フィルタユニットに設けた取手部によって意匠性および運転効率が損なわれない空気清浄機を提供する。【解決手段】フィルタユニット４０は、集塵フィルタ４０ｂと集塵フィルタ４０ｂを保持する枠体４０ａと、枠体４０ａの上端中央部に配置されている取手部４０ｃとを備えている。左右の空気吸込口１１は第１部材１５の通風孔１５ａに対応した配置とされているので、フィルタユニット４０をフィルタユニット装着部１５ｂに装着したときは、左右の空気吸込口１１からフィルタユニット４０が見えるが、取手部４０ｃは左右の空気吸込口１１から最も離れた箇所に配置される。【選択図】図３
2014069103.tif 000002
【特許請求の範囲】
【請求項１】
筐体前面に取り付けられた前面パネルと、同前面パネルの外周部に配置され前記筐体内に空気を取り込む複数の空気吸込口と、前記筐体内から室外へ空気を放出する空気吹出口と、複数の前記空気吸込口と前記空気吹出口とを連通させる送風路と、同送風路内に配置される送風機と、前記送風路内における複数の前記空気吸込口と前記送風機との間であって前記前面パネルに対向するように前記筐体前面に配置され前記空気吸込口から取り込んだ空気に含まれる塵埃を捕集するフィルタ部とを備えた空気清浄機であって、
前記フィルタ部は、塵埃を捕集する集塵フィルタと、同集塵フィルタを保持する枠体とを備え、同枠体の左右方向の中央部に取手部が設けられ、同取手部は前記枠体の上下方向に沿って板状に形成されるとともに前記前面パネルに向かって凸となるよう形成されたことを特徴とする空気清浄機。
【請求項２】
前記フィルタ部は、前記筐体前面に設けられたフィルタ装着部に装着され、
前記取手部は、前記枠体の中央部上端に配置され、
前記取手部の先端と前記前面パネルとの隙間寸法は、前記枠体上端部と同枠体上端部に対応する前記フィルタ装着部とのかかり寸法より小さいことを特徴とする請求項１に記載の空気清浄機。
【発明の詳細な説明】
【技術分野】
【０００１】
本発明は、集塵フィルタを着脱可能に備えた空気清浄機に関する。
【背景技術】
【０００２】
従来、空気清浄機として、本体ケース内に設けられた送風機の駆動によって本体ケース内に吸い込まれた空気を、集塵フィルタと脱臭フィルタとを順次通過させ、集塵フィルタで塵埃を除去するとともに脱臭フィルタで臭気成分を除去して浄化し、浄化した空気を本体ケース外に吹き出すものが知られている。
【０００３】
この種の空気清浄機としては、例えば、本体ケースの前面に空気吸込口を、上面に空気吹出口をそれぞれ設けるとともに、空気吸込口と空気吹出口とを連通する送風路に送風機を設け、空気吸込口と送風機との間にフィルタユニットを配置したものが提案されている（例えば、特許文献１参照）。このフィルタユニットは、例えば合成樹脂材で形成された枠体に集塵フィルタと脱臭フィルタとからなる積層フィルタを保持したものであり、積層フィルタは空気吸込口側から送風機側に向かって集塵フィルタ、脱臭フィルタの順で配置して構成される。空気吸込口から吸い込まれた空気は、積層フィルタを通過する際に集塵フィルタで除塵されるとともに、脱臭フィルタで臭気成分が吸着されて浄化される。
【先行技術文献】
【特許文献】
【０００４】
【特許文献１】実開平３−３８１２４号公報
【発明の概要】
【発明が解決しようとする課題】
【０００５】
上述した空気清浄機のように、空気吸込口と送風機との間にフィルタユニットを配置したものでは、通常、洗浄や交換等のためにフィルタユニットが空気清浄機から着脱できるようにされており、使用者がフィルタユニットの着脱を行いやすくするために、フィルタユニットに取手部が設けられている。特許文献１に記載の空気清浄機にも、積層フィルタに四方形状の取手部（つまみ）が設けられており、積層フィルタを枠体から取り外す際には、取手部を手でつまんで引っ張ることで積層フィルタを枠体から取り外すことができるようになっている。
【０００６】
上記のような取手部は、フィルタユニットの着脱の際の作業性を考慮してフィルタユニットの両側端部や上下端部に２か所以上配置されることが多い。一方、近年では空気清浄機の意匠性を考慮して、空気清浄機の筐体前面ではなく、筐体前面の側部や上下端部に空気吸込口を配置して、空気清浄機を前面から見たときに空気吸込口が目立たないようにし、筐体前面を意匠面として活用するものが多数提案されている。
【０００７】
このように筐体前面の側部や上下端部に空気吸込口を配置した空気清浄機では、フィルタユニットに設けられた取手部が空気吸込口の近傍に配置されることがあり、取手部が空気吸込口から見えてしまって空気清浄機の意匠性を損なうという問題があった。また、取手部が空気吸込口の近傍に配置されると、取手部が吸い込んだ空気の抵抗（通風抵抗）となって空気清浄機の運転効率が低下するという問題があった。
【０００８】
本発明は以上述べた問題点を解決し、フィルタユニットに設けた取手部によって意匠性および運転効率が損なわれない空気清浄機を提供することを目的とする。
【課題を解決するための手段】
【０００９】
本発明は上述の課題を解決するものであって、本発明の空気清浄機は、筐体前面に取り付けられた前面パネルと、前面パネルの外周部に配置され筐体内に空気を取り込む複数の空気吸込口と、筐体内から室外へ空気を放出する空気吹出口と、複数の空気吸込口と空気吹出口とを連通させる送風路と、送風路内に配置される送風機と、送風路内における複数の空気吸込口と送風機との間であって前面パネルに対向するように筐体前面に配置され空気吸込口から取り込んだ空気に含まれる塵埃を捕集するフィルタ部とを備えたものである。そして、フィルタ部は、塵埃を捕集する集塵フィルタと、集塵フィルタを保持する枠体とを備え、枠体の左右方向の中央部に取手部が設けられ、取手部は枠体の上下方向に沿って板状に形成されるとともに前面パネルに向かって凸となるよう形成されたものである。
【発明の効果】
【００１０】
本発明の空気清浄機は、フィルタ部の取手部が枠体の上端中央部に配置されているので、各空気吸込口から取手部までの距離が遠い。従って、各空気吸込口から取手部が見えにくくなって空気清浄機の意匠性が向上するとともに、取手部が各空気吸込口から筐体内に流入する空気の通風抵抗とならず、空気清浄機の運転効率が向上する。
【図面の簡単な説明】
【００１１】
【図１】本発明の実施例における空気清浄機の外観図であり、（Ａ）は外観斜視図、（Ｂ）は正面図である。
【図２】本発明の実施例における空気清浄機の断面図である。
【図３】本発明の実施例における、前面パネルおよびフィルタユニットを外した状態での空気清浄機の外観斜視図である。
【図４】図２におけるＥ部拡大図である。
【発明を実施するための形態】
【００１２】
以下、本発明の実施の形態を、添付図面に基づいて詳細に説明する。実施例としては、脱臭機能（脱臭フィルタおよびオゾナイザ）を備えた空気清浄機を例に挙げて説明する。尚、本発明は以下の実施形態に限定されることはなく、本発明の主旨を逸脱しない範囲で種々変形することが可能である。
【実施例】
【００１３】
図１は、本発明の一実施形態を示す空気清浄機１の外観図であり、（Ａ）は空気清浄機１を正面斜め上方から見た斜視図、（Ｂ）は（Ａ）における矢視Ｆ（正面図）である。ここで、図１におけるＸ方向は左右方向、Ｙ方向は上下方向、Ｚ方向は前後方向をそれぞれ示し、以下の説明で上下、左右、および前後といった方向を示す表現は、上記各方向（Ｘ方向、Ｙ方向、Ｚ方向）に従うものとする。また、図２は、図１に示す空気清浄機１の中央部を縦断したＤ−Ｄ線に沿った断面図である。また、図３は、後述する前面パネル１７およびフィルタユニット４０を外した状態で空気清浄機１を正面斜め方向から見た斜視図である。さらには、図４は、図２におけるＥ部の拡大図である。
【００１４】
図１に示すように、空気清浄機１は合成樹脂パネルで成形された略直方体状の筐体を有し、筐体の前面パネル１７の外周部に設けられた３か所の空気吸込口１１から筐体内に導入した空気を、上面に設けられた空気吹出口１２から室内に放出する間に、空気に含まれる塵埃の除去と空気の脱臭処理が行われるようになっている。
【００１５】
空気清浄機１の筐体上面部には、上述した空気吹出口１２の他に、空気清浄機１を操作する操作パネル１９が設けられている。操作パネル１９は、空気吹出口１２に隣接して配置されている。また、空気清浄機１の筐体左右側面は、側面パネル１８で覆われている。
【００１６】
図３に示すように、３か所の空気吸込口１１は、左右の側面パネル１８の前面側で後述する通風孔１５ａに対応した位置に設けられているものと、後述する第１部材１５の下部と前面パネル１７の下部とで形成されているものである。
【００１７】
図２に示すように、空気清浄機１の筐体内部には、各空気吸込口１１から導入した空気を空気吹出口１２まで案内する送風路１０が形成されており、送風路１０の途中には、送風路１０内の空気を、空気吸込口１１から空気吹出口１２に向かって流通させるための送風機１３が設けられている。
【００１８】
送風路１０の一部は、空気清浄機１の筐体内における前方（前面パネル１７側）に備えられ送風機１３の設置位置に対応して設けられた通風孔１５ａと後述するフィルタユニット４０を装着するフィルタユニット装着部１５ｂとを設けた第１部材１５と、空気清浄機１の筐体内における後方に備えられ送風機１３を固定する第２部材１６とで構成されている。
【００１９】
送風機１３は、回転数可変のファンモータ１３ａと、ファンモータ１３ａの出力軸に接続されたシロッコファン１３ｂとで構成されている。尚、送風機１３には、シロッコファン１３ｂを用いることが好ましいが、例えば、ラジアルファンや軸流ファン等といった空気を流通させる機能を有する別形態のファンであってもよい。
【００２０】
空気吸込口１１と送風機１３との間には、フィルタ部であるフィルタユニット４０が配置されている。図２および図３に示すように、このフィルタユニット４０は、例えば糸状のＰＥＴ材を編みこんで網目構造としたものをプリーツ形状に形成した集塵フィルタ４０ｂと、合成樹脂材で四方形状に形成されて集塵フィルタ４０ｂを保持する枠体４０ａと、枠体４０ａの左右方向の中央部に設けられ前面パネル１７側に向かって凸となるように設けられた上下方向に細長い板状の取手部４０ｃと、枠体４０ａの両側面後方側における上下方向中央部に外側に向かって凸となるように設けられた係止爪４０ｄとを備えており、空気吸込口１１から吸い込まれた空気に含まれる塵埃を集塵フィルタ４０ｂで捕集して空気の除塵を行う。フィルタユニット４０は、第１部材１５に設けられたフィルタユニット装着部１５ｂに着脱可能に装着できるものであり、係止爪４０ｄをフィルタユニット装着部１５ｂに設けられた係止孔１５ｃに係止することによって、フィルタユニット４０をフィルタユニット装着部１５ｂに装着することができる。
【００２１】
また、図２に示すように、送風機１３と空気吹出口１２との間には、脱臭ユニット３０が配置されている。脱臭ユニット３０は、第１部材１５と第２部材１６の各々一部を、脱臭ユニット３０の高さ分だけ幅を広げることによって形成された収容部１４に収められている。この脱臭ユニット３０は、臭気成分を吸着して分解する触媒フィルタ３５と、触媒フィルタ３５を加熱して吸着した臭気成分の分解を促進するヒータ３３と、ヒータ３３で発生した熱を触媒フィルタ３５全体に放熱する放熱板３２と、ヒータ３３や放熱板３２や触媒フィルタ３３の外周を囲って周囲に熱が逃げるのを防ぐ環状断熱材３４と、触媒フィルタ３５の上方に配置され触媒フィルタ３５を加熱するヒータ３３からの熱が触媒フィルタ３５から上方に逃げるのを抑制する板状断熱材３６と、板状断熱材３６および環状断熱材３４の上面側を覆って配置される遮熱板３７と、放熱板３２および環状断熱材３４の下面側を覆って配置される保持部３１とにより構成されている。
【００２２】
また、脱臭ユニット３０の下流側（空気吹出口１２側）には、オゾンを発生させて空気の除菌や脱臭を行うオゾナイザ２０が配置されている。尚、この脱臭ユニット３０とオゾナイザ２０とは、本発明に係る空気清浄機１を構成する上で必ずしも必要ではない。
【００２３】
次に、図２を用いて、空気清浄機１を運転したときの空気の流れを説明する。使用者による操作パネル１９の操作によって空気清浄機１が運転を開始すると、送風機１３が回転しこれにより空気吸込口１１から空気清浄機１内に空気が導入される（図２の矢印Ａ。ここでは、下方の空気吸込口１１から流入する空気のみを図示している）。空気清浄機１内に導入された空気は、フィルタユニット４０を通過して第１部材１５の通風孔１５ａに流れる（図２の矢印Ｂ）。通風孔１５ａに流れる空気は、フィルタユニット４０を通過する際に集塵フィルタ４０ｂによって除塵される。そして、通風孔１５ａを通過した空気は、送風機１３を介して送風路１０内を流れ、脱臭ユニット３０を通過する際に脱臭されるとともに、オゾナイザ２０で生成されたオゾンを含んで空気吹出口１２から室内に放出される（図２の矢印Ｃ）。
【００２４】
次に、フィルタユニット４０の着脱について図３を用いて説明する。フィルタユニット４０を洗浄や交換等のために空気清浄機１（のフィルタユニット装着部１５ｂ）から取り外すときは、図３の破線矢印で示すように、まず前面パネル１７を空気清浄機１の筐体前面から取り外し、次に取手部４０ｃをつまんで前方へ引っ張ることでフィルタユニット４０を取り外す。
【００２５】
一方、フィルタユニット４０を空気清浄機１（のフィルタユニット装着部１５ｂ）に取り付けるときは、図３の実線矢印で示すように、まずフィルタユニット４０をフィルタユニット装着部１５ｂに装着する。フィルタユニット４０を装着するときは、前述したように枠体４０ａに設けられた係止爪４０ｄをフィルタユニット装着部１５ｂに設けられた係止孔１５ｃに係止することによって、フィルタユニット４０をフィルタユニット装着部１５ｂに装着する。そして、フィルタユニット４０の装着が完了すれば、前面パネル１７を空気清浄機１の筐体前面に取り付ける。
【００２６】
本実施形態における空気清浄機１の特徴的な構成は、フィルタユニット４０の枠体４０ａに設けられた取手部４０ｃの配置と形状である。上述したように、取手部４０ｃは、枠体４０ａの上端中央部に配置されているので、図３に示すように、フィルタユニット４０を第１部材１５のフィルタユニット装着部１５ｂに装着したときに、取手部４０ｃが左右の空気吸込口１１から最も離れた箇所に位置することとなる。
【００２７】
前述したように、左右の空気吸込口１１は第１部材１５の通風孔１５ａに対応した配置とされているので、フィルタユニット４０をフィルタユニット装着部１５ｂに装着したときは、左右の空気吸込口１１からフィルタユニット４０が見える。従って、フィルタユニット４０着脱用の取手部１が、例えば枠体４０ａの左右側端部に配置されていれば、取手部１が左右の空気吸込口１１から見えやすくなって空気清浄機１の意匠性を損なうこととなり、また、取手部４０ｃが左右の空気吸込口１１から送風路１０に導入する空気に対する通風抵抗となる。
【００２８】
これに対し、本実施形態における空気清浄機１では、フィルタユニット４０の取手部４０ｃが各空気吸込口１１から最も離れた場所、すなわち、枠体４０ａの上端中央部に配置されるので、取手部４０ｃが左右の空気吸込口１１から見えにくくなって空気清浄機１の意匠性を損なうことがない。また、各空気吸込口１１から送風路１０に導入された空気は、取手部４０ｃに当たることなく第１部材１５の通風孔１５ａに流れ込むので、取手部４０ｃが通風抵抗となることがなく、効率よく空気清浄機１の運転が行える。
【００２９】
また、上述したように、取手部４０ｃは、前面パネル１７側に向かって凸となるように設けられている。取手部４０ｃの突出寸法は、図２に示すように、取手部４０ｃの前端部と前面パネル１７との間には隙間が設けられるように定められており、具体的には、図４（図２におけるＥ部拡大図）に示すように、取手部４０ｃの前端部と前面パネル１７との間の隙間寸法Ｔ２が、フィルタユニット４０をフィルタユニット装着部１５ｂに装着したときの枠体４０ａとフィルタユニット装着部１５ｂとのかかり寸法Ｔ１より小さい寸法となるように定められている。
【００３０】
フィルタユニット４０は、フィルタユニット装着部１５ｂにねじ等で固定されているのではなく、前述したように枠体４０ａに設けられた係止爪４０ｄをフィルタユニット装着部１５ｂに設けられた係止孔１５ｃに係止することによって、フィルタユニット４０がフィルタユニット装着部１５ｂに装着される。これは、フィルタユニット４０の着脱の際の作業性を考慮したためであり、使用者によるフィルタユニット４０のフィルタユニット装着部１５ｂからの着脱作業を簡易にするためである。
【００３１】
そして、上記のようにフィルタユニット４０をフィルタユニット装着部１５ｂに装着したときに、図２に示すように、フィルタユニット４０と前面パネル１７との間には、空間Ｓが形成される。この空間Ｓには取手部４０ｃを除いてフィルタユニット４０がはみ出していないので、各空気吸込口１１から導入された空気がスムーズにフィルタユニット４０に流れる。
【００３２】
しかし、空間Ｓが存在するために、空気清浄機１の持ち運び時等にフィルタユニット４０が空間Ｓに脱落する虞がある。フィルタユニット４０が脱落すれば、フィルタユニット４０とフィルタユニット装着部１５ｂとの間に隙間が生じ、この隙間から空気吸込口１１から導入した空気が除塵されることなく通風孔１５ａに流入する虞がある。この状態で空気清浄機１が運転をし続けると、空気吸込口１１から取り込んだ空気に含まれる塵埃によって、例えば、脱臭ユニット３０が目詰まりするといった問題が発生する虞がある。
【００３３】
そこで、本実施形態における空気清浄機１では、上述したように、取手部４０ｃの前端部と前面パネル１７との間の隙間寸法Ｔ２が、枠体４０ａとフィルタユニット装着部１５ｂとのかかり寸法Ｔ１より小さい寸法となるように定められている。これにより、枠体４０ａがフィルタユニット装着部１５ｂから外れる前に取手部４０ｃが前面パネル１７に当たるので、フィルタユニット４０が空間Ｓに脱落することがなく、フィルタユニット４０がフィルタユニット装着部１５ｂから外れた状態で塵埃を含んだ空気が送風路１０に流入することを防ぐことができる。
【００３４】
以上説明した通り、本発明の空気清浄機は、フィルタ部の取手部が枠体の上端中央部に配置されているので、各空気吸込口から取手部までの距離が遠い。従って、各空気吸込口から取手部が見えにくくなって空気清浄機の意匠性が向上するとともに、取手部が各空気吸込口から筐体内に流入する空気の通風抵抗とならず、空気清浄機の運転効率が向上する。
【００３５】
尚、以上説明した実施例では、取手部４０ｃが枠体４０ａの上端中央部に設けられている場合について説明したが、これに限るものではなく、取手部４０ｃは枠体４０ａの左右方向の中央部に配置されて上下方向に沿った板状の形状を有していればよい。従って、取手部４０ｃは枠体４０ａの左右方向の中央部において下端や上下方向の中央部に設けられていてもよい。但し、本実施例で説明した取手部４０ｃのように、枠体４０ａの上端中央部に設けられていれば、使用者が取手部４０ｃをつまみ易くなるので、フィルタユニット４０をフィルタユニット装着部１５ｂに着脱する際の作業が行いやすい。また、例えば、取手部４０ｃが枠体４０ａの下端中央部にある場合等と比べて、左右の空気吸込口１１から見えにくく、また、下方の空気吸込口１１から導入さえる空気の通風抵抗にもならない。
【符号の説明】
【００３６】
１  空気清浄機
１０  送風路
１１  空気吸込口
１２  空気吹出口
１３  送風機
１５  第１部材
１５ａ  通風孔
１５ｂ  フィルタユニット装着部
３０  脱臭ユニット
４０  フィルタユニット
４０ａ  枠体
４０ｂ  集塵フィルタ
４０ｃ  取手部
Ｔ１  かかり寸法
Ｔ２  隙間寸法
Ｓ  空間
【図１】
2014069103.tif 000003
【図２】
2014069103.tif 000004
【図３】
2014069103.tif 000005
【図４】
2014069103.tif 000006